(57)【特許請求の範囲】
【請求項１】
液滴吐出可能幅が同じであり、少なくとも一つの液滴吐出ヘッドが他の液滴吐出ヘッドに対して前記液滴吐出可能幅の幅方向へずれて並列に並べられた複数の液滴吐出ヘッドを備え、
各前記液滴吐出ヘッドの所定の解像度が得られる画像保証領域が重なり合う幅を画質保証幅とする場合、
前記画質保証幅＜前記液滴吐出可能幅＜前記複数の液滴吐出ヘッド全体による装置の液滴吐出可能幅、の関係を有し、
前記画質保証幅の外側であって前記装置の液滴吐出可能幅の内側において補助描画が可能とされた液滴吐出装置。
【請求項２】
同一の液体を吐出する２本の前記液滴吐出ヘッドで構成され、一方の前記液滴吐出ヘッドのノズルが他方の前記液滴吐出ヘッドのノズルに対して半ノズルピッチずれるように前記液滴吐出ヘッドのそれぞれが前記装置の液滴吐出可能幅の両端までずらされている液滴吐出ヘッドユニットを複数備え、
前記複数の液滴吐出ヘッドユニットはそれぞれが異なる液体を吐出することを特徴とする請求項１に記載の液滴吐出装置。
【請求項３】
前記複数の液滴吐出ヘッドは、記録媒体へ液滴を吐出し、
前記記録媒体の記録媒体幅＜前記複数の液滴吐出ヘッド全体による装置の液滴吐出可能幅、の関係があることを特徴とする請求項１に記載の液滴吐出装置。
【発明の詳細な説明】
【技術分野】
【０００１】
本発明は、液滴吐出装置に関する。
【背景技術】
【０００２】
液滴吐出装置としては、特許文献１に開示されるインクジェット記録装置が公知である。特許文献１に開示されるインクジェット記録装置は、液滴吐出ヘッドとして、複数の記録要素を配列しある記録幅をもつ基板を複数個配列して、長い記録幅をもつようにしたフルライン記録ヘッドを備えている。
【０００３】
特許文献１に開示されるインクジェット記録装置では、その長い記録幅をもつ複数の記録要素の配列方向とは異なる方向に記録媒体を搬送させて記録を行なう際に、入力画像記録幅に従って、複数個の基板間の接合部に対応する記録要素により記録媒体に記録がなされる領域が記録媒体上において最も視認されにくい領域になるように、記録に用いる記録要素を選択し、選択記録要素を用いて記録がなされるように、フルライン記録ヘッドの記録媒体に対する相対移動量を決定し、その決定された相対移動量だけフルライン記録ヘッドの相対位置を移動させ、その移動後の位置で選択された記録要素を用いて記録を行なう。
【特許文献１】特開２００５−３４９６６０号公報
【発明の開示】
【発明が解決しようとする課題】
【０００４】
本発明は、液滴吐出ヘッドの液滴吐出可能幅が、液滴吐出装置の液滴吐出可能幅より狭い場合でも、画質保証領域外への補助描画を可能とすることを目的とする。
【課題を解決するための手段】
【０００５】
本発明の請求項１に係る液滴吐出装置は、液滴吐出可能幅が同じであり、少なくとも一つの液滴吐出ヘッドが他の液滴吐出ヘッドに対して前記液滴吐出可能幅の幅方向へずれて並列に並べられた複数の液滴吐出ヘッドを備え、各前記液滴吐出ヘッドの所定の解像度が得られる画像保証領域が重なり合う幅を画質保証幅とする場合、前記画質保証幅＜前記液滴吐出可能幅＜前記複数の液滴吐出ヘッド全体による装置の液滴吐出可能幅、の関係を有し、前記画質保証幅の外側であって前記装置の液滴吐出可能幅の内側において補助描画が可能とされている。
【０００６】
本発明の請求項２に係る液滴吐出装置は、請求項１の構成において、同一の液体を吐出する２本の前記液滴吐出ヘッドで構成され、一方の前記液滴吐出ヘッドのノズルが他方の前記液滴吐出ヘッドのノズルに対して半ノズルピッチずれるように前記液滴吐出ヘッドのそれぞれが前記装置の液滴吐出可能幅の両端までずらされている液滴吐出ヘッドユニットを複数備え、前記複数の液滴吐出ヘッドユニットはそれぞれが異なる液体を吐出することを特徴とする。
【０００７】
本発明の請求項３に係る液滴吐出装置は、請求項１の構成において、前記複数の液滴吐出ヘッドは、記録媒体へ液滴を吐出し、前記記録媒体の記録媒体幅＜前記複数の液滴吐出ヘッド全体による装置の液滴吐出可能幅、の関係があることを特徴とする。
【発明の効果】
【０００８】
本発明の請求項１の構成によれば、液滴吐出ヘッドの液滴吐出可能幅が、液滴吐出装置の液滴吐出可能幅より狭い場合でも、画質保証領域外への補助描画が可能となる。
【０００９】
本発明の請求項２の構成によれば、画質保証領域に比して低解像度ではあるが、画質保証領域外へ複数種類の液体での補助描画が可能となる。
【００１０】
本発明の請求項３の構成によれば、記録媒体の端に補助描画が可能となる。
【発明を実施するための最良の形態】
【００１１】
以下に、本発明に係る実施形態の一例を図面に基づき説明する。
【００１２】
本実施形態では、液滴を吐出する液滴吐出装置の一例として、インク滴を吐出して記録媒体に画像を記録するインクジェット記録装置について説明する。
【００１３】
なお、液滴吐出装置は、インクジェット記録装置に限定されるものではない。液滴吐出装置としては、例えば、フィルムやガラス上にインク等を吐出してカラーフィルタを製造するカラーフィルタ製造装置、溶解状態の半田を基板上に吐出して部品実装用のバンプを形成する装置、金属を含む液体を吐出して配線パターンを形成する装置及び液滴を吐出して膜を形成する各種の成膜装置であってもよく、液滴を吐出するものであればよい。
【００１４】
（本実施形態に係るインクジェット記録装置の全体構成）
まず、本実施形態に係るインクジェット記録装置の全体構成を説明する。図１及び図２には、本実施形態に係るインクジェット記録装置の全体構成が概略図にて示されている。
【００１５】
図１及び図２に示すように、インクジェット記録装置１０は、用紙等の記録媒体Ｐが収容される記録媒体収容部１２と、記録媒体Ｐに画像を記録する画像記録部１４と、記録媒体収容部１２から画像記録部１４へ記録媒体Ｐを搬送する搬送手段１６と、画像記録部１４によって画像が記録された記録媒体Ｐが排出される記録媒体排出部１８と、を備えている。
【００１６】
画像記録部１４は、液滴を吐出する液滴吐出ヘッドの一例として、インク滴を吐出して記録媒体に画像を記録するインクジェット記録ヘッド２０Ｙ、２０Ｍ、２０Ｃ、２０Ｋ（以下、２０Ｙ〜２０Ｋと示す）を備えている。
【００１７】
このインクジェット記録ヘッド２０Ｙ〜２０Ｋは、記録媒体Ｐの搬送方向の上流側から、イエロー（Ｙ）、マゼンタ（Ｍ）、シアン（Ｃ）、ブラック（Ｋ）の色の順で並列に並べられており、その各色に対応したインク滴を、圧電方式によって、ノズル面に形成された複数のノズルから吐出し、画像を記録する構成となっている。このように、インクジェット記録ヘッド２０Ｙ〜２０Ｋは、異なる液体の一例として、異なる色のインクを吐出する。
なお、インクジェット記録ヘッド２０Ｙ〜２０Ｋは、同色のインク、同じ液体を吐出する構成であってもよい。また、インクジェット記録ヘッド２０Ｙ〜２０Ｋにおいて、インク滴を吐出させる構成は、サーマル方式等の他の方式によって吐出させる構成であっても良い。
【００１８】
インクジェット記録装置１０には、インクを貯留するインクタンク２１Ｙ、２１Ｍ、２１Ｃ、２１Ｋ（以下、２１Ｙ〜２１Ｋと示す）が設けられている。このインクタンク２１Ｙ〜２１Ｋから、各インクジェット記録ヘッド２０Ｙ〜２０Ｋへインクが供給される。なお、インクジェット記録ヘッド２０Ｙ〜２０Ｋへ供給されるインクとしては、水性インク、油性インク、溶剤系インク等、各種インクの使用が可能である。
【００１９】
更に、インクジェット記録装置１０には、インクジェット記録ヘッド２０Ｙ〜２０Ｋのメンテナンスをするメンテナンスユニット２２Ｙ、２２Ｍ、２２Ｃ、２２Ｋ（以下、２２Ｙ〜２２Ｋと示す）が設けられている。このメンテナンスユニット２２Ｙ〜２２Ｋは、それぞれ、インクジェット記録ヘッド２０Ｙ〜２０Ｋのノズル面に対向する対向位置（図２参照）と、インクジェット記録ヘッド２０Ｙ〜２０Ｋのノズル面から退避した退避位置（図１参照）との間を移動可能に構成されている。
【００２０】
各メンテナンスユニット２２Ｙ〜２２Ｋは、インクジェット記録ヘッド２０Ｙ〜２０Ｋのノズル面を覆うキャップ、予備吐出（空吐出）された液滴を受ける受け部材、インクジェット記録ヘッド２０Ｙ〜２０Ｋのノズル面を清掃する清掃部材、ノズル内のインクを吸引するための吸引装置等を有しており、各インクジェット記録ヘッド２０Ｙ〜２０Ｋをメンテナンスする際には、各インクジェット記録ヘッド２０Ｙ〜２０Ｋが所定高さ上昇すると共にメンテナンスユニット２２Ｙ〜２２Ｋが対向位置に移動し、各種のメンテナンスを行う。
【００２１】
搬送手段１６は、記録媒体収容部１２に収容された記録媒体Ｐを送り出す送出しロール２４と、送出しロール２４によって送り出された記録媒体Ｐを挟持搬送する搬送ロール対２５と、搬送ロール対２５によって搬送された記録媒体Ｐの被記録面をインクジェット記録ヘッド２０Ｙ〜２０Ｋに対面させる無端状の搬送ベルト３０と、を備えている。
【００２２】
搬送ベルト３０は、記録媒体Ｐの搬送方向下流側に配置された駆動ロール２６と、記録媒体Ｐの搬送方向上流側に配置された従動ロール２８とに巻き掛けられ、所定方向（図１においてＡ方向）に循環移動するように構成されている。
【００２３】
また、従動ロール２８の上部には、記録媒体Ｐを搬送ベルト３０へ押え付ける押さえロール２７が設けられている。この押さえロール２７は搬送ベルト３０に従動すると共に帯電ロールを兼ねており、この押さえロール２７によって搬送ベルト３０が帯電されることにより、記録媒体Ｐが搬送ベルト３０に静電吸着されて搬送される構成である。
【００２４】
この搬送ベルト３０が記録媒体Ｐを搬送することにより、インクジェット記録ヘッド２０Ｙ〜２０Ｋと記録媒体Ｐとが相対移動し、相対移動する記録媒体Ｐにインク滴が吐出されて画像が形成される。
【００２５】
なお、記録媒体Ｐに対してインクジェット記録ヘッド２０Ｙ〜２０Ｋが移動する構成であっても良く、記録媒体Ｐとインクジェット記録ヘッド２０Ｙ〜２０Ｋとが相対移動する構成であればよい。
【００２６】
また、搬送ベルト３０は、記録媒体Ｐを静電吸着して保持する構成に限定されるものではなく、記録媒体Ｐとの摩擦により、あるいは記録媒体Ｐを吸引や粘着などの非静電的手段によって保持する構成にしてもよい。
【００２７】
また、搬送ベルト３０の下流側には、その搬送ベルト３０から記録媒体Ｐを剥離する剥離爪が接近・離隔可能に配設されている。インクジェット記録ヘッド２０Ｙ〜２０Ｋにより画像が記録された記録媒体Ｐは、搬送ベルト３０の曲率及び剥離爪により記録媒体Ｐが搬送ベルト３０から剥離される構成となっている。なお、図１及び図２においては、剥離爪の図示を省略している。
【００２８】
剥離爪の下流側には、記録媒体Ｐの被記録面側がスターホイールとされた複数の搬送ロール対２９が設けられている。この搬送ロール対２９により、画像記録部１４で画像が記録された記録媒体Ｐが、記録媒体排出部１８へ搬送される。
【００２９】
また、搬送ベルト３０の下方には、記録媒体Ｐを反転させる反転部３７が設けられており、搬送ロール対２９が記録媒体Ｐを下流に一旦搬送した後、搬送ロール対２９が逆転して記録媒体Ｐが反転部３７に送られる構成となっている。
【００３０】
この反転部３７には、記録媒体Ｐの被記録面側がスターホイールとされた複数の搬送ロール対２３が設けられ、反転部３７に送り込まれた記録媒体Ｐが再度、搬送ベルト３０へ送られるようになっている。
【００３１】
また、インクジェット記録装置１０は、図示しないが、画像データに応じてインク滴の吐出タイミングと、使用するインクジェット記録ヘッド２０Ｙ〜２０Ｋのノズルを決定するヘッドコントローラーと、インクジェット記録装置１０の全体の動作を制御するシステム制御手段と、を備えている。
【００３２】
次に、インクジェット記録装置１０の画像記録動作について説明する。
【００３３】
まず、送出しロール２４により、記録媒体収容部１２から記録媒体Ｐが送り出され、搬送ベルト３０よりも上流側の搬送ロール対２５により、搬送ベルト３０へ送られる。
【００３４】
搬送ベルト３０へ送られた記録媒体Ｐは、その搬送ベルト３０の搬送面に吸着・保持され、インクジェット記録ヘッド２０Ｙ〜２０Ｋの記録位置へ搬送され、記録媒体Ｐの被記録面に画像が記録される。そして、その画像記録終了後、記録媒体Ｐは搬送ベルト３０から剥離爪によって剥離される。
【００３５】
記録媒体Ｐの片面へのみ画像を記録する場合は、搬送ベルト３０よりも下流側の搬送ロール対２９によって記録媒体排出部１８へ排出される。
【００３６】
記録媒体Ｐの両面へ画像を記録する場合には、片面に画像が記録された後、記録媒体Ｐは、反転部３７で反転されて、再び搬送ベルト３０に送られる。記録媒体Ｐの反対面側に上記と同様に画像が記録され、記録媒体Ｐの両面へ画像が記録され、記録媒体排出部１８へ排出される。
【００３７】
（本実施形態に係るインクジェット記録ヘッド２０Ｙ〜２０Ｋの構成）
本実施形態に係るインクジェット記録ヘッド２０Ｙ〜２０Ｋは、図３に示すように、記録媒体Ｐの搬送方向（副走査方向）よりも記録媒体Ｐの幅方向（主走査方向）に長くされて構成されている。インクジェット記録ヘッド２０Ｙ〜２０Ｋは、記録媒体Ｐに対して主走査方向に相対移動することなく主走査方向の１ラインを形成可能とされており、記録媒体Ｐに対して副走査方向に相対移動して、カラー画像を記録するようになっている。なお、記録媒体Ｐの幅方向とは、記録媒体Ｐの搬送方向と交差する方向である。
【００３８】
また、インクジェット記録ヘッド２０Ｙ〜２０Ｋは、インク滴が吐出可能なインク滴吐出可能幅、すなわち画像記録が可能な記録可能幅が同じとされている。なお、ここでいう幅は、主走査方向における幅である。また、インクジェット記録ヘッド２０Ｙ〜２０Ｋは、生産性の観点から、ヘッド長さが同じとされている。
【００３９】
インクジェット記録ヘッド２０Ｋは、インクジェット記録ヘッド２０Ｙ及び２０Ｍに対して、記録可能幅の幅方向へインクジェット記録ヘッド２０Ｙ及び２０Ｍの一端側にずれている。
【００４０】
インクジェット記録ヘッド２０Ｃは、インクジェット記録ヘッド２０Ｙ及び２０Ｍに対して、記録可能幅の幅方向へインクジェット記録ヘッド２０Ｙ及び２０Ｍの他端側にずれている。
【００４１】
４つのインクジェット記録ヘッド２０Ｙ〜２０Ｋの全体で見たときにおける画像記録が可能な記録可能幅、すなわち、インクジェット記録装置１０の記録可能幅は、各インクジェット記録ヘッド２０Ｙ〜２０Ｋの記録可能幅よりも大きく設定されている。
【００４２】
また、インクジェット記録装置１０の記録可能幅は、画像記録の対象となる記録媒体Ｐの記録媒体幅よりも大きくされている。インクジェット記録装置１０の画質保証幅は、各インクジェット記録ヘッド２０Ｙ〜２０Ｋの記録可能幅よりも小さくされている。
【００４３】
以上のように、インクジェット記録装置１０では、画質保証幅＜各インクジェット記録ヘッド２０Ｙ〜２０Ｋの記録可能幅＜記録媒体Ｐの記録媒体幅＜インクジェット記録装置１０の記録可能幅、の関係が成り立つようになっている。
【００４４】
ここで、インクジェット記録装置１０の画質保証幅とは、画質が保証される領域の幅であり、各インクジェット記録ヘッド２０Ｙ〜２０Ｋの画質保証領域が重なり合う幅である。各インクジェット記録ヘッド２０Ｙ〜２０Ｋの画質保証領域とは、各インクジェット記録ヘッド２０Ｙ〜２０Ｋにおいて所定の解像度が得られる領域である。
【００４５】
例えば、図４（Ａ）に示すように、インク滴を吐出するノズル１９が一列に配置された構成においては、インク滴を吐出するノズル１９が配置された領域において解像度が変わらず、インク滴を吐出する複数のノズルの一端から他端までの領域が、所定の解像度が得られる領域となる。
【００４６】
これに対して、図４（Ｂ）に示すように、ノズル１９が２次元に配置された構成においては、インクジェット記録ヘッド２０Ｙ〜２０Ｋの端部（図４（Ｂ）に示す二点鎖線よりも外側の部分）では、中央部（図４（Ｂ）に示す二点鎖線よりも内側の部分）に比べて解像度が落ちる場合がある。
【００４７】
例えば、インクジェット記録ヘッド２０Ｙ〜２０Ｋの端部は、６００ｄｐｉに対して、インクジェット記録ヘッド２０Ｙ〜２０Ｋの中央部は、１２００ｄｐｉとなる。この場合において所定の解像度が１２００ｄｐｉであれば、インクジェット記録ヘッド２０Ｙ〜２０Ｋの中央部が所定の解像度が得られる領域となる。
【００４８】
なお、インクジェット記録ヘッド２０Ｙ〜２０Ｋの構成としては、図４（Ａ）（Ｂ）に示すように、複数のヘッドユニット１７により構成されたインクジェット記録ヘッド２０Ｙ〜２０Ｋであってもよい。また、図４（Ａ）（Ｂ）に示した構成は、説明のためにインクジェット記録ヘッド２０Ｙ〜２０Ｋの構成を概略的に示したものである。
【００４９】
（本実施形態の作用）
次に、上記の実施形態について作用を説明する。
【００５０】
本実施形態に係るインクジェット記録装置１０では、画質保証領域において、インクジェット記録ヘッド２０Ｙ〜２０Ｋにより、記録媒体Ｐにカラー画像が形成される。
【００５１】
画質保証領域外Ｗにおいては、インクジェット記録ヘッド２０Ｋにより、記録媒体Ｐの一端側にトンボＢや針印Ｃなどの補助描画がなされ、インクジェット記録ヘッド２０Ｃにより、記録媒体Ｐの他端側にトンボＢや針印Ｃなどの補助描画がなされる。
【００５２】
なお、トンボＢは、色重ね、折りや裁断などの後工程の位置合わせの目安となるマークである。また、トンボＢは、版下・製版・画像記録の工程において重要なマークであり、レジスターマークともいう。さらに、トンボＢは、一般に、十字形状で形成され、その形状がトンボに似ていることからトンボと称されている。
【００５３】
また、針印Ｃは、画像記録位置のずれの有無を見るためのマークである。正常に画像記録されている記録媒体Ｐには、針印Ｃの位置が記録媒体Ｐの端から一定の位置にあり、針印Ｃの位置ずれにより、画像記録位置の位置ずれが発見される。
【００５４】
図３に示すように、針印Ｃが記録媒体Ｐの側端に形成される場合には、画像が記録されて重ねられた複数の記録媒体Ｐの側面から針印Ｃを見ることにより、複数の記録媒体Ｐの中から画像記録位置が位置ずれした記録媒体Ｐが発見される。
【００５５】
なお、インクジェット記録ヘッド２０Ｙ〜２０Ｋのうち、視認性がよい色のインクで画像を記録するインクジェット記録ヘッドを、他のインクジェット記録ヘッドに対してずらして構成することにより、補助描画された画像の視認性を向上させることが望ましい。本実施形態では、インクジェット記録ヘッド２０Ｙ、２０Ｍよりも視認性の良いインクジェット記録ヘッド２０Ｃ、２０Ｋにより補助描画する構成となっている。
【００５６】
また、記録媒体Ｐの側端への補助描画が必要でない場合においては、図５に示すように、インクジェット記録装置１０の記録可能幅が、画像記録の対象となる記録媒体Ｐの記録媒体幅よりも小さい構成としてもよい。
【００５７】
また、図６に示すように、インクジェット記録ヘッド２０Ｙ〜２０Ｋのうち、インクジェット記録ヘッド２０Ｋを、インクジェット記録ヘッド２０Ｙ〜２０Ｃに対して、記録可能幅の幅方向へずらした構成であってもよい。この構成では、画質保証領域外Ｗにおいては、インクジェット記録ヘッド２０Ｋにより、記録媒体Ｐの一端側にトンボＢや針印Ｃなどの補助描画がなされ、インクジェット記録ヘッド２０Ｙ、２０Ｍ、２０Ｃにより、記録媒体Ｐの他端側にトンボＢや針印Ｃなどの補助描画がなされる。
【００５８】
また、図７に示すように、記録媒体Ｐの片側にのみ補助描画する構成においては、インクジェット記録ヘッド２０Ｙ〜２０Ｋのうち、インクジェット記録ヘッド２０Ｋを、インクジェット記録ヘッド２０Ｙ〜２０Ｃに対して、記録可能幅の幅方向へ記録媒体Ｐの片側にずらした構成であってもよい。
【００５９】
また、図８に示すように、同一の液体を吐出する２本の液滴吐出ヘッドにより構成される液滴吐出ヘッドユニットの一例として、同一色のインクを吐出する２本のインクジェット記録ヘッドにより構成されるインクジェット記録ヘッドユニットを用いる構成であってもよい。
【００６０】
この構成では、各色ごとに、インクジェット記録ヘッドユニット３３Ｙ、３３Ｍ、３３Ｃ、３３Ｋ（以下、３３Ｙ〜３３Ｋという）を備えており、インクジェット記録ヘッドユニット３３Ｙ〜３３Ｋは、異なる液体の一例として、異なる色のインクを吐出する。
【００６１】
インクジェット記録ヘッドユニット３３Ｙ〜３３Ｋは、それぞれ、インクジェット記録ヘッド２０ＹＡ、２０ＹＢ、インクジェット記録ヘッド２０ＭＡ、２０ＭＢ、インクジェット記録ヘッド２０ＣＡ、２０ＣＢ、インクジェット記録ヘッド２０ＫＡ、２０ＫＢで構成されている。
【００６２】
図９に示すように、インクジェット記録ヘッドユニット３３Ｙにおいて、インクジェット記録ヘッド２０ＹＡのノズル１９Ａは、インクジェット記録ヘッド２０ＹＢのノズル１９Ｂに対して、半ノズルピッチ（ノズルピッチＰＩの半分）ずれるように、インクジェット記録ヘッド２０ＹＡ、２０ＹＢのそれぞれが、インクジェット記録装置１０の記録可能幅の両端までずらされている。なお、インクジェット記録ヘッドユニット３３Ｍ、３３Ｃ、３３Ｋにおいても同様に構成されている。
【００６３】
この構成によれば、画質保証領域において画質保証領域外よりも高解像度でカラー画像が記録でき、画質保証領域外において画質保証領域よりも低解像度であるが、カラー画像で補助描画がなされる。なお、図９に示した構成は、説明のために、インクジェット記録ヘッドユニット３３Ｙの構成を概略的に示したものである。
【００６４】
本発明は、上記の実施形態に限るものではなく、種々の変形、変更、改良が可能である。
【図面の簡単な説明】
【００６５】
【図１】図１は、本実施形態に係るインクジェット記録装置の全体構成を示す概略図である。
【図２】図２は、本実施形態に係るインクジェット記録装置において、メンテナンスユニットがインクジェット記録ヘッドのノズル面に対向する対向位置にある状態を示す概略図である。
【図３】図３は、本実施形態に係るインクジェット記録ヘッドの構成を示す概略図である。
【図４】図４は、本実施形態に係るインクジェット記録ヘッドのノズル配置の例を示す概略図である。
【図５】図５は、本実施形態に係るインクジェット記録ヘッドの構成において、インクジェット記録装置の記録可能幅が記録媒体幅より狭い場合を示す概略図である。
【図６】図６は、本実施形態に係るインクジェット記録ヘッドの構成において、一つのインクジェット記録ヘッドを他の３つのインクジェット記録ヘッドに対してずらした場合を示す概略図である。
【図７】図７は、本実施形態に係るインクジェット記録ヘッドの構成において、記録媒体の片側に補助描画する場合を示す概略図である。
【図８】図８は、本実施形態に係るインクジェット記録ヘッドユニットの構成を示す概略図である。
【図９】図９は、本実施形態に係るインクジェット記録ヘッドユニットの構成を示す概略図である。
【符号の説明】
【００６６】
１０   インクジェット記録装置
２０Ｙ〜２０Ｋ  インクジェット記録ヘッド
３３Ｙ〜３３Ｋ  インクジェット記録ヘッドユニット
【図１】
0004502000.tif 000002
【図２】
0004502000.tif 000003
【図３】
0004502000.tif 000004
【図４】
0004502000.tif 000005
【図５】
0004502000.tif 000006
【図６】
0004502000.tif 000007
【図７】
0004502000.tif 000008
【図８】
0004502000.tif 000009
【図９】
0004502000.tif 000010